(57)【要約】      （修正有）【課題】店先などに設置されるのぼり旗において、既に設置済みののぼり旗に対して容易に後付けすることができる捲れ防止部材、及びこれを用いることにより強風に煽られても捲れ上がることのないのぼり旗を提供する。【解決手段】旗３０の一側縁に設けられた複数のちぎり３１のうち、最下段と２段目のちぎりの表裏面を覆うように山折りされ、且つちぎり３１の輪に沿って長手方向に湾曲された合成樹脂からなる一対の板部材１１と、ポール２０ａに沿って長尺に設けられ、一対の板部材１１の両端部を合わせた状態で該一対の板部材１１を連結し、最下段のちぎりと２段目のちぎりとの間隔を維持する連結部材とを備える。【選択図】図１
0003227872.tif 000002
【実用新案登録請求の範囲】
【請求項１】
直棒状のポールと、前記ポールの上端部に水平方向に取り付けられた横棒とからなる支柱と、縦長矩形状に形成され、その一側縁と上縁とが前記支柱により保持される旗と、前記旗の一側縁と上縁とに複数設けられ、前記ポールと前記横棒とがそれぞれ挿通される輪状のちぎりとを備えるのぼり旗に取り付けられる捲れ防止部材であって、
前記旗の一側縁に設けられた複数のちぎりのうち、最下段と２段目のちぎりの表裏面を覆うように山折りされ、且つ前記ちぎりの輪に沿って長手方向に湾曲された合成樹脂からなる一対の板部材と、
前記ポールに沿って長尺に設けられ、前記一対の板部材の両端部を合わせた状態で該一対の板部材を連結し、最下段のちぎりと２段目のちぎりとの間隔を維持する連結部材とを備え、
前記一対の板部材は、それぞれ前記ポールを挟持していることを特徴とする捲れ防止部材。
【請求項２】
前記最下段のちぎりを覆う板部材に取り付け可能な錘を備えることを特徴とする請求項１に記載された捲れ防止部材。
【請求項３】
直棒状のポールと、
前記ポールの上端部に水平方向に取り付けられた横棒とからなる支柱と、
縦長矩形状に形成され、その一側縁と上縁とが前記支柱により保持される旗と、
前記旗の一側縁と上縁とに複数設けられ、前記ポールと前記横棒とがそれぞれ挿通される輪状のちぎりと、
前記旗の一側縁に設けられた複数のちぎりのうち、最下段と２段目のちぎりの表裏面を覆うように山折りされ、且つ前記ちぎりの輪に沿って長手方向に湾曲された合成樹脂からなる一対の板部材と、
前記ポールに沿って長尺に設けられ、前記一対の板部材の両端部を合わせた状態で該一対の板部材を連結し、最下段のちぎりと２段目のちぎりとの間隔を維持する連結部材とを備え、
前記一対の板部材は、それぞれ前記ポールを挟持していることを特徴とするのぼり旗。
【請求項４】
前記最下段のちぎりを覆う板部材に取り付け可能な錘を備えることを特徴とする請求項３に記載されたのぼり旗。
【考案の詳細な説明】
【技術分野】
【０００１】
本考案は、捲れ防止部材及びこれを用いたのぼり旗に関し、例えば店舗の軒先に設置され、強風に煽られても捲れ上がることのないのぼり旗に関する。
【背景技術】
【０００２】
例えばコンビニエンスストアなどの店舗の軒先には、店舗の広告などを記したのぼり旗が配置されている。一般的なのぼり旗の構成は、図６に示すように上下逆Ｌ字状の支柱２０の下端部が重石（図示せず）などに固定され、縦長矩形状の旗３０が、前記支柱２０によって保持される。
【０００３】
より具体的には、前記支柱２０は、直線状に延びるポール２０ａと、前記ポール２０ａの上端付近から水平方向に延びる横棒２０ｂとにより構成される。また、縦長の旗３０の一側縁３０ａと上縁３０ｂとには、それぞれ複数の輪状のちぎり３１（チチとも呼ばれる）が設けられており、前記ポール２０ａが旗３０の一側縁３０ａのちぎり３１に通され、前記横棒２０ｂが旗３０の上縁３０ｂのちぎり３１に通される。これにより縦長の旗３０の一側縁３０ａと上縁３０ｂとが支柱２０に保持され、旗３０は風に揺らぎながらも広告が視認可能となる。
しかしながら、前記した従来一般的なのぼり旗にあっては、強風に煽られると旗３０が捲れ上がり、旗３０の広告内容が見づらくなるという課題があった。
【０００４】
そのような課題に対し、特許文献１には、図７（ａ）に示すように、ちぎり３１が設けられた側の旗３０の一側縁３０ａに直棒状の張り芯４０を設けた構成が開示されている。この構成によれば、強風が吹き荒れたときであっても、張り芯４０の張力によって、旗３０の捲れ上がりが防止される。
【０００５】
また、特許文献２には、図７（ｂ）に示すように、ちぎり３１をベルト状布３２で形成するとともに、ベルト状布３２の一端にカクカン３３を設けて、このカクカン３３にベルト状布３２の他端を通し、ループを形成した状態で前記ベルト状布３２の他端を前記旗３０の一側縁３０ａに固定した構成が開示されている。
【０００６】
前記ベルト状布３２で形成したループにはポール２０ａが通されるが、この構成において強風に煽られると、旗３０がちぎり３１のベルト状布３２を引っ張り、それによってループが小さくなってポール２０ａを締め付ける。その結果、旗３０の一側縁３０ａはポール２０ａに縛り付けられたような状態となり、強風であっても捲れ上がることが防止される。
【先行技術文献】
【特許文献】
【０００７】
【特許文献１】特開平９−２８１９１５号公報
【特許文献２】特開２０１５−２２５０８７号公報
【考案の概要】
【考案が解決しようとする課題】
【０００８】
しかしながら、特許文献１に開示されたのぼり旗の構造にあっては、旗３０の一側縁３０ａに張り芯４０を設ける際、旗３０の一側縁３０ａを折り返して縫い付け、張り芯４０を挿入するための中空の細長袋状体３０ｃを形成する必要があり、既に設置済みののぼり旗をそのように後から加工するのは困難であるという課題があった。
【０００９】
また、特許文献２に開示されたのぼり旗の構造にあっては、旗３０の製造時において、カクカン３３を設けたちぎり３１を旗に縫い付ける必要があり、特許文献１の課題と同様に、既に設置済みののぼり旗に対し後付けで対応できるものではなかった。
【００１０】
本考案の目的は、例えば店先などに設置されるのぼり旗において、既に設置済みののぼり旗に対して容易に後付けすることができる捲れ防止部材、及びこれを用いることにより強風に煽られても捲れ上がることのないのぼり旗を提供することを目的とする。
【課題を解決するための手段】
【００１１】
前記した課題を解決するために、本考案に係る捲れ防止部材は、直棒状のポールと、前記ポールの上端部に水平方向に取り付けられた横棒とからなる支柱と、縦長矩形状に形成され、その一側縁と上縁とが前記支柱により保持される旗と、前記旗の一側縁と上縁とに複数設けられ、前記ポールと前記横棒とがそれぞれ挿通される輪状のちぎりとを備えるのぼり旗に取り付けられる捲れ防止部材であって、前記旗の一側縁に設けられた複数のちぎりのうち、最下段と２段目のちぎりの表裏面を覆うように山折りされ、且つ前記ちぎりの輪に沿って長手方向に湾曲された合成樹脂からなる一対の板部材と、前記ポールに沿って長尺に設けられ、前記一対の板部材の両端部を合わせた状態で該一対の板部材を連結し、最下段のちぎりと２段目のちぎりとの間隔を維持する連結部材とを備え、前記一対の板部材は、それぞれ前記ポールを挟持していることに特徴を有する。
尚、前記最下段のちぎりを覆う板部材に取り付け可能な錘を備えることが望ましい。
【００１２】
このように構成された捲れ防止部材をのぼり旗に取り付ければ、強風に煽られたとしても旗の下部を保持するちぎりの表裏面が板部材によって覆われ、板部材によってポールが挟持されるため、旗が捲れ上がることを防止することができる。
また、最下段と２段目のちぎりを覆う一対の板部材は、連結部材によって連結されるため、最下段と２段目のちぎりの間隔が維持され、旗の捲れ上がりをより効果的に抑制することができる。
また、本発明の捲れ防止部材によれば、一般的なちぎりを有するのぼり旗に対し、後付けで容易に取り付けて旗の捲れを防止することができるため、コストを抑えて広く提供することができる。
【００１３】
また、前記した課題を解決するために、本考案に係るのぼり旗は、直棒状のポールと、前記ポールの上端部に水平方向に取り付けられた横棒とからなる支柱と、縦長矩形状に形成され、その一側縁と上縁とが前記支柱により保持される旗と、前記旗の一側縁と上縁とに複数設けられ、前記ポールと前記横棒とがそれぞれ挿通される輪状のちぎりと、前記旗の一側縁に設けられた複数のちぎりのうち、最下段と２段目のちぎりの表裏面を覆うように山折りされ、且つ前記ちぎりの輪に沿って長手方向に湾曲された合成樹脂からなる一対の板部材と、前記ポールに沿って長尺に設けられ、前記一対の板部材の両端部を合わせた状態で該一対の板部材を連結し、最下段のちぎりと２段目のちぎりとの間隔を維持する連結部材とを備え、前記一対の板部材は、それぞれ前記ポールを挟持していることに特徴を有する。
尚、前記最下段のちぎりを覆う板部材に取り付け可能な錘を備えることが望ましい。
【００１４】
このように構成されたのぼり旗によれば、強風に煽られたとしても旗の下部を保持するちぎりの表裏面が板部材によって覆われ、板部材によってポールが挟持されるため、旗が捲れ上がることを防止することができる。
また、最下段と２段目のちぎりを覆う一対の板部材は、連結部材によって連結されるため、最下段と２段目のちぎりの間隔が維持され、旗の捲れ上がりをより効果的に抑制することができる。
また、一般的なちぎりを有するのぼり旗に対し、後付けで板部材及び連結部材を容易に取り付けて旗の捲れを防止することができるため、コストを抑えて広く提供することができる。
【考案の効果】
【００１５】
本考案によれば、例えば店先などに設置されるのぼり旗において、既に設置済みののぼり旗に対して容易に後付けすることができる捲れ防止部材、及びこれを用いることにより強風に煽られても捲れ上がることのないのぼり旗を提供することができる。
【図面の簡単な説明】
【００１６】
【図１】図１は、本考案ののぼり旗の全体を示す正面図である。
【図２】図２は、旗下部のちぎり部を拡大して示す正面図である。
【図３】図３（ａ）〜（ｄ）は、図１ののぼり旗が備える捲れ防止部材の構成を説明するための斜視図及び一部拡大図である。
【図４】図４は、本考案の変形例を示す一部拡大図である。
【図５】図５は、本考案の他の変形例を示す一部拡大図である。
【図６】図６は、従来の一般的なのぼり旗を説明するための正面図である。
【図７】図７（ａ）、（ｂ）は、従来ののぼり旗の他の形態を説明するための一部拡大図である。
【考案を実施するための形態】
【００１７】
以下、本考案に係る捲れ防止部材及びこれを用いたのぼり旗の実施の形態につき、図面に基づいて説明する。本実施の形態におけるのぼり旗は、例えばコンビニエンスストアなどの店舗の軒先に設置され、旗部分には、文字や絵柄の広告等が印刷されたものである。
図１は、本考案ののぼり旗１の全体を示す正面図であり、図２は、旗下部（最下段及び２段目）のちぎり部を拡大して示す正面図である。
尚、以下の説明において、図６、図７に示した従来と同様の部材については同じ符号で示す。
【００１８】
図１に示すのぼり旗１は、上下逆Ｌ字状の支柱２０と、前記支柱２０に保持される縦長矩形状の旗３０とを備える。
前記支柱２０は、直棒状のポール２０ａと、ポール２０ａの上端部に水平方向に取り付けられた横棒２０ｂとにより構成される。
【００１９】
また、前記旗３０の一側縁３０ａには、等間隔を空けて複数（図では５つ）の輪状のちぎり３１が設けられ、旗３０の上縁３０ｂには、等間隔を空けて複数（図では３つ）の輪状のちぎり３１が設けられている。
前記旗３０の一側縁３０ａに設けられた複数のちぎり３１は、支柱２０のポール２０ａが挿通され、旗３０の上縁３０ｂに設けられた複数のちぎり３１は、支柱２０の横棒２０ｂが挿通される。これにより従来同様に旗３０は支柱２０に保持される。
【００２０】
更に、図２に一部拡大して示すように旗３０の一側縁３０ａに設けられるちぎり３１のうち、最下段及び２段目のちぎり３１Ａ、３１Ｂには、捲れ防止部材１０が取り付けられている。
この捲れ防止部材１０は、図３（ａ）に示すように、前記ちぎり３１Ａ、３１Ｂに装着される一対の板部材１１と、図２に示すように一対の板部材１１同士を連結するための長尺板状の連結部材１２とを有する。
【００２１】
前記捲れ防止部材１０の板部材１１、連結部材１２は、プラスチック樹脂板により形成されている。板部材１１は、厚さ０．１ｍｍ〜０．５ｍｍ程度の長尺矩形状のプラスチック樹脂板をその幅方向中央位置（尾根線１１ａ）に沿って山折りしたものである。
図３（ａ）に示すように、その長手方向の長さＬ１は、ちぎり３１Ａ、３１Ｂの周方向長さと略同じ長さを有し、山折りした高さ方向の一辺の長さＬ２は好ましくはちぎり３１Ａ、３１Ｂの幅より長く形成されている。
【００２２】
また、前記板部材１１は、図３（ｂ）に示すように輪状のちぎり３１Ａ（３１Ｂ）の周に沿って長手方向に湾曲させて用いられる。
具体的には、輪状のちぎり３１Ａとちぎり３１Ｂに対し、山折り状態の板部材１１を長手方向に輪状に湾曲させながら、その裏面側（谷側）をちぎり３１Ａ、３１Ｂの上から被せ装着される。前記したように板部材１１の高さ方向の長さＬ２は、好ましくはちぎり３１の幅より長く形成されており、それにより輪状のちぎり３１Ａ、３１Ｂの内側面と外側面は板部材１１に覆われる。また、板部材１１の両端部１１ｂ、１１ｃは、ちぎり３１Ａ、３１Ｂの付け根側（旗３０側）に位置することになる。
【００２３】
また、図３（ｃ）に示すように前記板部材１１をちぎり３１Ａ、３１Ｂに装着すると、板部材１１の一側面部と他側面部とは、ちぎり３１Ａ、３１Ｂを中に挟んで、互いに密着した状態となる。この状態を維持するために、前記端部１１ｂ、１１ｃは一体化するように、例えば、ホッチキスのような締結具等で留められている。
これによりちぎり３１Ａとちぎり３１Ｂはそれぞれポール２０ａを挟持する状態となる。即ち、合成樹脂により形成された板部材１１がポール２ａを挟持することにより、ポール２０ａに沿った縦方向への摩擦力が大きくなり、ちぎり３１Ａ、３１Ｂの縦方向の移動が抑制され、ポール２０ａの周方向に沿った回転のみが比較的容易となされている。
【００２４】
また、図３（ｄ）に示すように、ちぎり３１Ａ、３１Ｂをそれぞれ覆う板部材１１は、連結部材１２によって連結される。連結部材１２の具体的な連結方法としては、長尺板状（棒状でもよい）の連結部材１２の両端側をそれぞれ板部材１１にホッチキス等の締結具で留めることにより容易に実施することができる。
これにより、ちぎり３１Ａ、３１Ｂは互いの間隔が変動することがなく維持され、旗３０の捲れがより効果的に抑制される。
【００２５】
このように構成されたのぼり旗１によれば、強風に煽られたとしても旗３０の下部を保持するちぎり３１Ａ、３１Ｂの表裏面が板部材１１によって覆われ、板部材１１によってポール２ａが挟持されるため、旗３０が捲れ上がることを防止することができる。
また、ちぎり３１Ａ、３１Ｂを覆う一対の板部材１１は、連結部材１２によって連結されるため、ちぎり３１Ａ、３１Ｂの間隔が維持され、旗３０の捲れ上がりをより効果的に抑制することができる。
また、本発明の捲れ防止部材１０によれば、一般的なちぎりを有するのぼり旗に対し、後付けで容易に取り付けて旗の捲れを防止することができるため、コストを抑えて広く提供することができる。
【００２６】
尚、前記した実施形態の構成のみでも十分に本考案の効果を得ることができるが、図４に示すように最下段のちぎり３１Ｂに装着する板部材１１、もしくは連結部材１２の下端に、例えば５０ｇ〜５００ｇ程度の錘１５を吊り下げて取り付けてもよい。
或いは、板部材１１自体の重量をさらに５０ｇ〜５００ｇ程度重く形成する、或いは、表面に５０ｇ〜５００ｇ程度の板状錘１６を取り付けてもよい。
そのように最下部のちぎり３１Ｂ側の重さを重くすることにより、強風から煽られることに対してより効果的に捲れを防止することができる。
【符号の説明】
【００２７】
１          のぼり旗
１０        捲れ防止部材
１１        板部材
１２        連結部材
１５        錘
１６        錘
２０        支柱
２０ａ      ポール
２０ｂ      横棒
３０        旗
３０ａ      一側縁
３０ｂ      上縁
３１        ちぎり
３１Ａ      ちぎり（２段目）
３１Ｂ      ちぎり（最下段）
【図１】
0003227872.tif 000003
【図２】
0003227872.tif 000004
【図３】
0003227872.tif 000005
【図４】
0003227872.tif 000006
【図５】
0003227872.tif 000007
【図６】
0003227872.tif 000008
【図７】
0003227872.tif 000009